(57)【要約】【課題】エスカレータにおいて、隣接するステップ間への異物の挟み込みを防止することである。【解決手段】ステップ１０は、平行に並んだ複数の踏板溝３１が形成される上面を有する踏板部２０と、踏板溝３１が延びる方向の踏板部２０の端部から下方に向けて設けられるライザ部２２であって、平行に並んだ複数のライザ溝２５が形成される表面を有するライザ部２２と、踏板部２０における踏板溝３１が延びる方向に直交する幅方向に沿ってライザ部２２の裏面側に設けられる軸２４と、軸２４を中心に回転する可動部材２７と、を備え、可動部材２７は、ライザ部２２の表面から所定の量で突出する可動面を有する。【選択図】図１
2015199592.tif 000002
【特許請求の範囲】
【請求項１】
平行に並んだ複数の踏板溝が形成される上面を有する踏板部と、
前記踏板溝が延びる方向の前記踏板部の端部から下方に向けて設けられるライザ部であって、平行に並んだ複数のライザ溝が形成される表面を有するライザ部と、
前記踏板部における前記踏板溝が延びる方向に直交する幅方向に沿って前記ライザ部の裏面側に設けられる軸と、
前記軸を中心に回転又は搖動する可動部材と、
を備え、
前記可動部材は、前記ライザ部の表面から所定の量で突出する可動面を有することを特徴とするエスカレータ用ステップ。
【請求項２】
請求項１に記載のエスカレータ用ステップにおいて、
前記ライザ部の表面には、所定の溝幅を有する第１凹部と、前記第１凹部よりも広い溝幅を有する第２凹部とが交互に形成され、
前記可動部材は、前記第２凹部から前記可動面が突出するように設けられることを特徴とするエスカレータ用ステップ。
【請求項３】
請求項１または請求項２に記載のエスカレータ用ステップにおいて、
前記可動部材は、所定の間隔を空けて前記幅方向に沿って複数設けられることを特徴とするエスカレータ用ステップ。
【発明の詳細な説明】
【技術分野】
【０００１】
本発明は、エスカレータ用ステップに関する。
【背景技術】
【０００２】
エスカレータでは、乗客の衣服や靴等の挟み込みが課題となることがある。特許文献１には、エスカレータのスカートガードにローラを設けて、ステップとスカートガードとの隙間に異物が挟み込まれないようにする構成が開示されている。
【先行技術文献】
【特許文献】
【０００３】
【特許文献１】特開２０１１−２１９１９５号公報
【発明の概要】
【発明が解決しようとする課題】
【０００４】
エスカレータは、複数のステップによって階段形状が構成され、乗降口の近傍で段差が小さくなる構成を有しており、この段差が小さくなる部分で隣接するステップ間に異物が挟み込まれることがある。上記特許文献１の構成では、段差が小さくなる部分における隣接するステップ間への異物の挟み込みは防止できない。
【０００５】
本発明の目的は、隣接するステップ間への異物の挟み込みを防止することを可能とするエスカレータ用ステップを提供することである。
【課題を解決するための手段】
【０００６】
本発明に係るエスカレータ用ステップは、平行に並んだ複数の踏板溝が形成される上面を有する踏板部と、前記踏板溝が延びる方向の前記踏板部の端部から下方に向けて設けられるライザ部であって、平行に並んだ複数のライザ溝が形成される表面を有するライザ部と、前記踏板部における前記踏板溝が延びる方向に直交する幅方向に沿って前記ライザ部の裏面側に設けられる軸と、前記軸を中心に回転又は搖動する可動部材と、を備え、前記可動部材は、前記ライザ部の表面から所定の量で突出する可動面を有することを特徴とする。
【０００７】
また、本発明に係るエスカレータ用ステップにおいて、前記ライザ部の表面には、所定の溝幅を有する第１凹部と、前記第１凹部よりも広い溝幅を有する第２凹部とが交互に形成され、前記可動部材は、前記第２凹部から前記可動面が突出するように設けられることが好ましい。
【０００８】
また、本発明に係るエスカレータ用ステップにおいて、前記可動部材は、所定の間隔を空けて前記幅方向に沿って複数設けられることが好ましい。
【発明の効果】
【０００９】
上記構成によれば、乗降口の近傍の段差が小さくなる部分において隣接するステップ間に異物が入り込もうとした場合であっても可動面が回転又は摺動することによって異物を引き出すことができる。したがって、隣接するステップ間への異物の挟み込みを防止することができる。
【図面の簡単な説明】
【００１０】
【図１】図１（ａ）は、ステップを備えるエスカレータを示す図であり、図１（ｂ）は、ステップの側面図である。
【図２】図２（ａ）はライザ部の部分斜視図であり、図２（ｂ）はライザ部とこれに対応する下層階側の踏板部との関係を示す平面図である。
【発明を実施するための形態】
【００１１】
以下に図面を用いて本発明に係る実施の形態につき、詳細に説明する。また、以下では、全ての図面において対応する要素には同一の符号を付し、重複する説明を省略する。
【００１２】
図１（ａ）は、ステップ１０を備えるエスカレータ１２を示す図であり、図１（ｂ）は、ステップ１０の側面図である。エスカレータ１２は、乗り口１４と降り口１６との間を無端状に連結された複数のステップ１０を駆動させて乗客を移動させる装置である。エスカレータ１２は、複数のステップ１０によって階段形状が構成され、乗り口１４及び降り口１６の近傍で段差が少なくなる構成を有する。なお、複数のステップ１０は、全て同様の構成を有しているため、以下では、１つのステップ１０を例に詳説する。
【００１３】
ステップ１０は、乗客が足を乗せる踏板部２０と、階段形状の蹴上げに相当するライザ部２２と、踏板部２０とライザ部２２を支持するフレーム部２３と、ライザ部２２の裏側に設けられる軸２４と、軸２４を中心に回転する可動部材２７とを備える。
【００１４】
図２（ａ）はライザ部２２の部分斜視図であり、図２（ｂ）はライザ部２２とこれに対応する下層階側の踏板部２０との関係を示す平面図である。踏板部２０は、乗客が乗った際の滑り止めとして、平行に並んだ複数の踏板溝３１を有する板状部材である。踏板部２０は、適当な強度を有する材料、例えば、アルミ合金やステンレスを用いて構成される。踏板部２０は、例えば、横幅が約１００ｃｍ、奥行が約４０ｃｍの寸法を有する。ここで、「横幅」とは、踏板部２０の上面において複数の踏板溝３１に直交する方向の大きさを意味する。「奥行」とは、踏板部２０の上面において複数の踏板溝３１に沿った方向の大きさを意味する。
【００１５】
踏板溝３１は、第１凸部３２と、第２凸部３４との間に形成される。第１凸部３２及び第２凸部３４の長さは約４０ｃｍであり、幅は約２ｍｍであるが、図２（ｂ）に示されるように、第１凸部３２が約１ｍｍ上層階側にずらして配置される。
【００１６】
ライザ部２２は、踏板溝３１が延びる方向の端部から下方に向けて設けられ、所定の曲率半径の曲げを有する板状部材である。ライザ部２２は、適当な強度を有する材料、例えば、アルミ合金やステンレスを用いて構成される。ライザ部２２は、平行に並んだ複数のライザ溝２５が形成される表面を有する。ライザ部２２は、例えば、横幅が約１００ｃｍ、高さが約３０ｃｍの寸法を有する。ここで、ライザ部２２の「表側」とは、ライザ部２２の表面のうち階段形状を構成する部分における外側表面側を意味する。ライザ部２２の「裏側」とは、上記外側表面と反対側を意味する。
【００１７】
ライザ溝２５は、踏板溝３１の第２凸部３４に対応する位置に形成される囲み凸部３６の間に形成される第１凹部２６と、隣接する囲み凸部３６の間に形成される第２凹部２８とを備える。第１凹部２６の溝幅は、約３ｍｍである。第２凹部２８の溝幅は、約５ｍｍである。なお、ライザ部２２と下層階側の踏板部２０の第１凸部３２及び第２凸部３４との隙間は、約３ｍｍ〜約５ｍｍである。
【００１８】
フレーム部２３は、踏板部２０の横幅方向の両端部において、踏板部２０及びライザ部２２を支持するように設置される支持部材である。なお、踏板部２０の下側、ライザ部２２の裏側及びフレーム部２３に囲まれた空間は、軸２４及び可動部材２７を収納するための略三角柱形状の空間領域が形成される。
【００１９】
軸２４は、ライザ部２２の裏側の上記空間領域において、踏板部２０の横幅方向に沿ってフレーム部２３に取り付けられる。軸２４は、適当な強度を有する材料、例えば、アルミ合金やステンレスを用いて構成される。軸２４の長さは、約１００ｃｍの寸法を有する。
【００２０】
可動部材２７は、軸２４を中心に回転し、ライザ部２２の表面から所定の量で突出する可動面を有する。可動部材２７は、適当な柔軟性を有する材料、例えば、ゴム部材を用いて構成される。可動部材２７は、第２凹部２８から可動面が突出するように設けられる。可動部材２７は、ライザ部２２の第２凹部２８に一列に複数個取り付けられる。
【００２１】
上記構成のエスカレータ１２のステップ１０の作用について説明する。エスカレータ１２は、複数のステップ１０によって階段形状が構成され、乗り口１４及び降り口１６の近傍で段差が小さくなる構成を有している。
【００２２】
乗客が丈の長い衣服を着ている場合、例えば、ロングスカートを履いていてライザ部２２の近くに立っている場合には、降り口１６の近傍で段差が少なくなるにつれてライザ部２２と踏板部２０の隙間にロングスカートの下端部が入り込む可能性がある。しかしながら、エスカレータ１２では、ライザ部２２に可動部材２７が取り付けられて可動面が回転するため、乗客はロングスカートを引っ張り上げるができ、挟み込みを防止することができる。
【００２３】
なお、エスカレータ１２では、可動部材２７は、ローラであるとして説明したが、その他の可動部材であってもよい。例えば、ローラを軸方向から見た場合に例えばローラが８分の１に分割された１部の略滴型形状の部材であってもよい。滴型形状の部材の場合は、可動面が摺動することとなる。これにより、降り口１６の近傍で段差が少なくなるにつれてライザ部２２と踏板部２０の隙間にロングスカートの下端部が入り込みそうになった場合であっても、乗客はロングスカートを引っ張り上げるができ、挟み込みを防止することができる。
【符号の説明】
【００２４】
１０  ステップ、１２  エスカレータ、１４  乗り口、１６  降り口、２０  踏板部、２２  ライザ部、２３  フレーム部、２４  軸、２５  ライザ溝、２６  第１凹部、２７  可動部材、２８  第２凹部、３１  踏板溝、３２  第１凸部、３４  第２凸部、  ３６  囲み凸部。
【図１】
2015199592.tif 000003
【図２】
2015199592.tif 000004